(57)【要約】ベース（２）、側壁（３）および実質上凹面形状の上面（７）をもつ取り外すことができる上側部分（４）を有する実質上円筒状の虫取り器（１）が開示される。開口した上面のメッシュバスケット（６）が虫取り器（１）内のメシュ（５）に配置される。光源（１４）が上側部分（４）の上面（７）の上方に配置され、付勢されたとき、駆除すべき昆虫を誘引する。虫取り器（１）におよそ３／２だけ水（１６）が充填され、これが虫取り器の本体内からポンプ送りされ、虫取り器（１）の本体に復帰するとき、上側部分（４）の上面（７）に沿って液体の実質上ヘリカル流れを生じさせる。光源（１４）に誘引された昆虫は水（１６）に捕獲され、虫取り器内に流され、メッシュバスケット（６）内に保たれる。変形例では、上面（７）は実質上凸面形状のものであり、水は上側部分（４）の上面（７）に沿って実質上放射状に流れる。【選択図】図１
2004521641.tif 000002
【特許請求の範囲】
【請求項１】
ハエ、カ、アリマキ、ユスリカ、またはガなどの飛ぶ昆虫を誘引し、捕獲する虫取り器であって、
液体を収容する容器を備え、前記容器はベース、前記ベースに実質上対向する湾曲した上側部分および前記ベースと前記上側部分を連結する側壁をもち、さらに、
前記容器に収容された液体を前記ベースまたはその付近から前記上側部分の上面に循環させる手段と、
前記上側部分の上面またはその付近に配置された前記昆虫の誘引手段とを備え、
前記液体を循環させる手段および前記上側部分は前記液体が前記上面に沿って特定の通路をもって流れるようにすることができるようにしたことを特徴とする虫取り器。
【請求項２】
前記液体は水である請求項１に記載の虫取り器。
【請求項３】
前記容器内に取り外し可能に配置され、前記液体を通過させることはできるが、前記虫が通過することは防止するメッシュ状材料を有する請求項１または２に記載の虫取り器。
【請求項４】
前記誘引手段は前記上側部分の上面の上方に配置されている請求項１〜３のいずれかに記載の虫取り器。
【請求項５】
前記誘引手段は光源である請求項１〜４のいずれかに記載の虫取り器。
【請求項６】
前記光源は特定の前記昆虫を誘引する波長で放射エネルギーを生じさせる請求項５に記載の虫取り器。
【請求項７】
前記昆虫はガである請求項１〜６のいずれかに記載の虫取り器。
【請求項８】
前記ガはヘリアセス（ｈｅｌｉａｔｈｅｓ）ガである請求項７に記載の虫取り器。
【請求項９】
前記水を循環させる手段および前記上側部分は前記液体が前記上面に沿って実質上ヘリカル進路をもって流れるようにすることができる請求項１〜８のいずれかに記載の虫取り器装置。
【請求項１０】
前記上面は実質上凹面形状である請求項９に記載の虫取り器。
【請求項１１】
前記液体を循環させる手段および前記上側部分は前記液体が前記上面に沿って放射状に流れるようにすることができる請求項１〜８のいずれかに記載の虫取り器。
【請求項１２】
前記上面は実質上凹面形状である請求項１１に記載の虫取り器。
【請求項１３】
請求項１〜１２のいずれかに記載の虫取り器を使用することを特徴とするハエ、カ、アリマキ、ユスリカ、ガなどの昆虫を誘引し、駆除する方法。
【発明の詳細な説明】
【技術分野】
【０００１】
この発明は、虫取り器に関するものである。特に、それはハエ、カ、アリマキ、ユスリカ、およびガなどの飛ぶ昆虫を捕獲する虫取り器に関するものである。
【背景技術】
【０００２】
自然食品チェーン全体の有益機能に限らず、幾つかの昆虫が害虫に分類される。害虫の望ましくない特徴は屋外で食事する人間のまわりを飛ぶ害虫にいらだちを覚えることから作物を食したり、損傷させたりすることまである。
【０００３】
作物農業については、ヘリアセス（ｈｅｌｉａｔｈｅｓ）ガが綿作物を著しく損傷させる。綿農業がガの根絶または増殖防止にこうむる年間のコストは相当大きい。
【０００４】
ガなどの望ましくない害虫の典型的増殖防止方法は化学的スプレイの使用である。しかしながら、スプレイの使用を増大させると、健康に関する副作用が生じる。副作用は食品汚染物の汚染、ガンなどの病気およびその他の深刻な疾患を含み、殺虫剤が家畜に発見されたとき、綿栽培者と牧畜業者間のいさかいを生じさせる。
【０００５】
さらに、大量の殺虫剤が使用されると、ガに成長する芋虫または幼虫が殺虫剤に対する抵抗力をもち、前述した問題を増大させるだけである。芋虫および幼虫を捕食する鳥も化学物質を採取し、副作用をもつ。
【０００６】
この有毒殺虫剤の過度の利用は危険性のない自然化学物質または非化学方法を使用し、害虫を誘引し、駆除する装置の開発をもたらした。
【０００７】
特に、ハエ、カ、アリマキ、ユスリカおよびガなどの飛ぶ昆虫を誘引し、捕獲する種々の従来の装置がある。
【０００８】
一つのタイプは光を使用し、害虫を誘引するものである。光によって装置に誘引されると、種々の手段によって害虫が駆除される。一般的装置は紫外線を利用し、害虫を誘引するすでに市販されているユニットであり、光源に接触したとき、害虫は感電死する。
【０００９】
このタイプの装置はビルディングまたはビルディングのバルコニーなどの比較的限られた領域に適当であるが、それを綿畑などの大きい解放された領域に使用することは適当ではなく、実用的ではない。
【００１０】
他のタイプの従来の虫取り器は捕獲される実際の害虫から得られる化学誘引剤を生じさせる。しかしながら、人間または食物に化学物質が直接接触することはいくらか減少するが、人間および動物が潜在的有毒物質を吸い込むことがあり、安全性の問題は残る。
【００１１】
したがって、この発明の目的は、前述した欠点を克服または少なくとも改善することにある。
【発明の開示】
【００１２】
この発明の第１特徴によれば、ハエ、カ、アリマキ、ユスリカ、ガなどの飛ぶ昆虫を誘引し、捕獲する虫取り器が提供され、虫取り器は、
液体を収容する容器を含み、前記容器はベース、前記ベースに実質上対向する湾曲した上側部分および前記ベースと前記上側部分を連結する側壁を有し、さらに、
前記容器に収容された液体を前記ベースまたはその付近から前記上側部分の上面に循環させる手段と、
前記上側部分の上面またはその付近に位置する前記昆虫の誘引手段とを備え、
前記液体を循環させる手段および前記上側手段は前記液体が前記上面に沿って特定の通路をもって流れるようにすることができる。
【００１３】
前記液体は水であることが好ましい。
【００１４】
前記虫取り器は前記容器内に取り外し可能に配置され、前記液体を通過させることができ、前記害虫が通過することは防止するメッシュ状材料を含むことが好ましい。
【００１５】
前記誘引手段は前記上側部分の上面の上方に配置されることが好ましい。
【００１６】
前記誘引手段は光源であることが好ましい。
【００１７】
前記光源は特定の前記害虫を誘引する波長の放射エネルギーを生じさせることが好ましい。
【００１８】
前記害虫はガであることが好ましい。
【００１９】
前記ガはヘリアセス（ｈｅｌｉａｔｈｅｓ）ガであることが好ましい。
【００２０】
この発明の実施例では、前記液体を循環させる手段および前記上側部分は前記液体を前記上面に沿って実質上ヘリカル進路をもって流すことができる。
【００２１】
この実施例では、前記上面は実質上凹面形状である
【００２２】
第２実施例では、前記水を循環させる手段および前記上側部分は前記液体を前記上面に沿って放射状に流すことができる。
【００２３】
第２実施例では、前記上面は実質上凸面形状である。
【００２４】
この発明の第２特徴では、ハエ、カ、アリマキ、ユスリカ、ガなどの昆虫を誘引し、駆除する方法が提供され、前記方法は前述した虫取り器を使用するものである。
【００２５】
この発明の好ましい実施例を添付図面を参照して説明する。
【発明を実施するための最良の形態】
【００２６】
図１および図２を参照すると、虫取り器１は実質上円筒状のもので、ベース２、側壁３および取り外すことができる上側部分４を有する。第１メッシュ５が虫取り器１内にベース２から短い距離を置いて固定されている。開口した上面の実質上円筒状のメッシュバスケット６がメッシュ５上に配置されている。上側部分４は実質上凹面形状の上面７を有する。導管８が上側部分４の外周のまわりにのびており、それは入口９をもち、出口１０で終わる。出口１０は排出された液体が上面７を下方に流れ、上側部分４の最下点でオリフィス１１を通過するよう配置され、液体は虫取り器１の本体に復帰する。出口部分１７が上側部分４の外周付近に配置されている。水中ポンプ１２がベース２に配置され、フレキシブルホース１３によって入口９に接続されている。光源１４が上側部分４の上面７の上方に配置されている。
【００２７】
第１メッシュ５およびメッシュバスケット６をセパレートアイテムとして説明したが、第１メッシュ５はメッシュバスケット６のベースを形成するものであってもよく、一体ユニットが取り外すことができる上側部分４の下方で側壁３の上側エッジに支持されるようにしてもよいことは理解されるであろう。
【００２８】
使用において、虫取り器１におよそ２／３だけ水１６が満たされる。ポンプ１２にパワーを与えると、水１６がベース２付近からフレキジルホース１３を通り、入口９にポンプ送りされ、出口１０から排出され、上側部分の凹面キャビティに充填される。過度の水１６は出口１７を通り、虫取り器１の本体に復帰する。オリフィス１１を通り、虫取り器１の本体に復帰するとき、水１６は十分な圧力でポンプ送りされ、上側部分４の上面７に沿って液体の実質上ヘリカル流れを生じさせる。さらに、パワーを与えると、光源１４も付勢される。知られている適宜の手段によってパワーを与えてもよいが、それは低レベルの光、例えば日暮れの状態でパワーを与え、高レベルの光、例えば日の出の状態で解放される電気回路の光電セルであることが好ましい。タイマーを電気回路に組み込み、これによってパワーを解法することもできる。虫取り器が付勢されると、光源１４に誘引された昆虫が水１６によって捕獲され、オリフィス１１から流れ、メシュバスケット６内に保たれる。周期的に上側部分４を取り外し、メッシュバスケット６を取り外し、捕獲された昆虫を除去してもよい。
【００２９】
図３に示されているように、他の実施例では、オリフィス１８が上側部分４の外周に近接して配置され、バッフル１９が上面７の上方に間隔を置いて配置され、オリフィス１８から上側部分４の中心に向かってのびる。虫取り器１の作用は図１および２のものと同様であるが、水１６のヘリカル流れがバッフル１９に導かれ、水１６の表面の昆虫がバッフル１９にすくい取られ、オリフィス１８に流れる。
【００３０】
図４および図５の第３実施例では、虫取り器３１は図１〜３で説明したベース２、側壁３、メッシュバスケット６、ポンプ１２および光源１４を有する。しかしながら、上側部分２４は光反射凸面上面２０を有する。上側部分２４の外周はメッシュバスケット６の前方で短い距離をもって終わり、外周ギャップ２３を生じさせる。中空管状部材２１がベース２から上面２０を通り、上向きにのびる。スリット２２が管状部材２１にあり、上面２０の上方で管状部材２１の外周のまわりに放射状に配置されている。
【００３１】
使用において、虫取り器３１におよそ３／４だけ水１６が充填される。ポンプ１２にパワーを与えると、水１６がベース２付近から上向きにポンプ送りされ、管状部材２１を通り、スリット２２から排出され、上面２０に沿って実質上放射状に流れ、外周ギャップ２３を通り、虫取り器３１の本体に復帰する。パワーを与えると、光源１４も付勢され、上面２０の反射によって光が強められ、昆虫が光源１４に誘引される。虫取り器３１が付勢された後、光源１４に誘引された昆虫が水１６に捕獲され、上面２０に沿って流され、外周ギャップ２３を通り、メッシュバスケット６内に保たれる。周期的に上側部分２４を取り外し、メッュバスケット６を取り外し、捕獲された虫を除去することができる。
【００３２】
したがって、この発明は、比較的シンプルで、経済的に製造し、作用させることができる飛ぶ昆虫の非化学的虫取り器を提供するものである。
【図面の簡単な説明】
【００３３】
【図１】この発明に従って構成された虫取り器の第１実施例の斜視図である。
【図２】図１に示された第１実施例の平面図である。
【図３】この発明に従って構成された虫取り器の第２実施例の平面図である。
【図４】この発明に従って構成された虫取り器の第３実施例の斜視図である。
【図５】図４に示された第３実施例の平面図である。
【国際公開パンフレット】
2004521641.tif 000003
2004521641.tif 000004
2004521641.tif 000005
2004521641.tif 000006
2004521641.tif 000007
2004521641.tif 000008
2004521641.tif 000009
2004521641.tif 000010
2004521641.tif 000011
2004521641.tif 000012
2004521641.tif 000013
2004521641.tif 000014
2004521641.tif 000015
2004521641.tif 000016
【国際調査報告】
2004521641.tif 000017